(57)【要約】      （修正有）【課題】連続してパッチを貼着する作業を容易且つ確実になし得るパッチ貼着具を提供する。【解決手段】綴じ穴の縁部にパッチを貼着可能に保持する本体１と、この本体に対し紙葉類を位置決めするガイド４と、本体がパッチ及び紙葉類を離間させた退避位置からパッチを紙葉類に貼着し得る貼着位置までの間で動作可能に本体を支持するスリーブ２と、本体を動作させるためのハンドル３と、スリーブを準備姿勢から基準姿勢に至る動作を可能に支持するとともに動作中に亘ってガイドの下面が載置面上に載置された載置状態を維持し得る載置維持機構５とを具備する。【選択図】図１３
2015107623.tif 000002
【特許請求の範囲】
【請求項１】
紙葉類に穿たれた綴じ穴の縁部にパッチを貼着可能に保持する本体と、
下面を載置面上に載置させた状態で前記本体に対し前記紙葉類を前記パッチを装着し得る位置に位置決めするガイドと、
前記本体が前記パッチ及び前記紙葉類を離間させた退避位置から前記パッチを前記紙葉類に貼着し得る貼着位置までの間で動作可能に前記本体を支持するスリーブと、
前記本体を動作させるための操作力を受け付けるハンドルと、
前記スリーブを前記ガイドに対し前記用紙を取り付け前記本体による前記パッチの貼着動作を受け入れる準備姿勢から前記パッチを前記紙葉類に貼着する基準姿勢に至る動作を可能に支持するとともに当該動作中に亘って前記ガイドが前記載置面上に載置された載置状態を維持し得る載置維持機構とを具備することを特徴とするパッチ貼着具。
【請求項２】
前記載置維持機構が、前記準備姿勢及び前記基準姿勢との間で前記スリーブを回転可能に支持するヒンジ部と、前記ヒンジ部の動作中に亘って常に前記ガイドの前記下面を前記載置面に当接させ得る当接維持部とを有している請求項１記載のパッチ貼着具。
【請求項３】
前記当接維持部が、前記ガイドにおいて前記紙葉類を支持する紙葉類受けから前記ヒンジ部を隔てた後方且つ外側に位置付けられている請求項２記載のパッチ貼着具。
【請求項４】
前記ガイドが、積層させた複数の前記紙葉類を位置決めすべく前記綴じ穴を挿通する突起を有している請求項１、２又は３記載のパッチ貼着具。
【請求項５】
前記ガイドが、前記突起を前記綴じ穴に対し挿脱可能に支持すべく弾性変形する弾性変形部を有している請求項４記載のパッチ貼着具。
【請求項６】
前記突起の先端が、当該突起における他の部位とは異なる色を呈している請求項４又は５記載のパッチ貼着具。
【請求項７】
前記本体が、複数の前記パッチを平面視所定寸法離間させた状態で支持している請求項１、２、３、４、５又は６記載のパッチ貼着具。
【請求項８】
前記本体が、前記パッチを補充すべく前記パッチを保持し得る状態を解除するための解除ボタンを有するものでありこの解除ボタンが、前記本体の動作位置に拘わらず操作可能に構成されている請求項１、２、３、４、５、６又は７記載のパッチ貼着具。
【発明の詳細な説明】
【技術分野】
【０００１】
本発明は、紙葉類に穿たれた綴じ穴を設けた箇所を補強するためにパッチを貼着するパッチ貼着具に関するものである。
【背景技術】
【０００２】
紙葉類に穿たれた綴じ穴の周縁部を補強するパッチ（通常、円環状のシール）を貼着する器具が提案されている(例えば、特許文献１及び特許文献２参照)。
【０００３】
上記特許文献に開示された技術により現状のパッチ貼着具は、紙葉類に対し正確な位置にパッチを貼着し得るとともに、複数の綴じ穴や複数の紙葉類に対しパッチを連続して貼着する作業においても安定して正確にパッチを貼着し得るものとなっている。
【０００４】
ところで、近年では特に上記パッチ貼着具の普及が進むに際し、オフィスにおいては特に綴じ穴を用いて綴じられた紙葉類のうち、頻繁に閲覧される等により綴じ穴に掛かる綴じ具からの負担が大きいと予め分かっているものについては、綴じ穴を穿った直後に複数枚の紙葉類の綴じ穴に対しまとめてパッチを貼着しておくという連続的な貼着作業も行われるようになった。
【０００５】
そして、上記のような連続的な貼着作業をより効率良く且つ確実に行うためには単にパッチを貼着する作業自体が効率良く行えるのみではない。すなわち紙葉類にパッチを貼着する作業においては、特に一のパッチを貼着する作業の後、パッチを貼着した紙葉類をパッチ貼着具から退避させ、次なる紙葉類或いは綴じ穴に対してパッチを貼着するまでの作業に対しても効率よく行う必要が求められることが分かった。また複数枚の紙葉類に対してパッチを貼着していく作業を行う際に使用者は、何れか一方の手によって複数枚の紙葉類を扱っていく必要が作業上不可欠であることから、パッチ貼着具による連続したパッチ貼着作業は、複数の紙葉類を取り扱わない何れか他方の手のみで行い得るものとすることが望ましい。
【先行技術文献】
【特許文献】
【０００６】
【特許文献１】特許第４５２４３４７号公報
【特許文献２】特許第４９７２７８０号公報
【発明の概要】
【発明が解決しようとする課題】
【０００７】
本発明は、このような不具合に着目したものであり、連続してパッチを貼着する作業を容易且つ確実になし得るパッチ貼着具を提供することを目的としている。
【課題を解決するための手段】
【０００８】
本発明は、このような目的を達成するために、次のような手段を講じたものである。
【０００９】
すなわち本発明に係るパッチ貼着具は、紙葉類に穿たれた綴じ穴の縁部にパッチを貼着可能に保持する本体と、下面を載置面上に載置させた状態で前記本体に対し前記紙葉類を前記パッチを装着し得る位置に位置決めするガイドと、前記本体が前記パッチ及び前記紙葉類を離間させた退避位置から前記パッチを前記紙葉類に貼着し得る貼着位置までの間で動作可能に前記本体を支持するスリーブと、前記本体を動作させるための操作力を受け付けるハンドルと、前記スリーブを前記ガイドに対し前記用紙を取り付け前記本体による前記パッチの貼着動作を受け入れる準備姿勢から前記パッチを前記紙葉類に貼着する基準姿勢に至る動作を可能に支持するとともに当該動作中に亘って前記ガイドが前記載置面上に載置された載置状態を維持し得る載置維持機構とを具備することを特徴とする。
【００１０】
すなわち本願発明者らは、従前のパッチ貼着具においては、連続してパッチを貼着する際にガイドが載置された状態を維持するためには、ハンドルを操作しないもう片方の手によってガイドを支えていなくてはいけない構造であったため片手による連続した操作がなし得なかった点に初めて着目してなされたものである。
【００１１】
このようなものであれば、連続してパッチを装着する作業においてハンドルを操作しているときガイドが常に載置面上に載置された状態を維持しているので、使用者はハンドルを持っていないもう片方の手をガイドに触れる必要が無く紙葉類を取り扱う用途に使うことができる。その結果、連続してパッチを貼着する作業を容易且つ確実になし得るパッチ貼着具を提供することができる。
【００１２】
載置維持機構を実現するためにガイドに設ける構成は、例えばガイドの自重を、ガイド以外の構成要素の動作に拘わらず載置状態が維持されるまでに重く設定したり、ガイドの下面側に載置面に係り合うか吸着する別異の要素を設ける等、種々の構成が考えられる。そこで、より簡素な構成により当該載置維持機構を実現するためには、前記載置維持機構を、前記準備姿勢及び前記基準姿勢との間で前記スリーブを回転可能に支持するヒンジ部と、前記ヒンジ部の動作中に亘って常にガイドの下面を前記載置面に当接させ得る当接維持部とを有する構成とすることが望ましい。
【００１３】
特に、ガイドに別異の要素を追加することなく形状の変更のみで載置維持機構を実現するためには、前記当接維持部を、前記ガイドにおいて前記紙葉類を支持する紙葉類受けから前記ヒンジ部を隔てた後方且つ外側に位置付けられていることが好ましい。
【００１４】
また、複数の紙葉類に対し順次パッチを貼着していく作業をより効率良く行うためには、前記ガイドに積層させた複数の前記紙葉類を位置決めすべく前記綴じ穴を挿通する突起を設けておくことが望ましい。
【００１５】
また、突起がパッチ貼着時に本体側へ干渉することを回避させて円滑な貼着動作を担保するためには、ガイドに、前記突起を前記綴じ穴に対し挿脱可能に支持すべく弾性変形する弾性変形部を設けておくことが望ましい。
【００１６】
特に使用者に対し紙葉類の位置決めをスムーズに行わせることにより紙葉類を取り扱う作業をより迅速に行い得るようにするためには、前記突起の先端を、当該突起における他の部位とは異なる色を呈するようにしておくことが望ましい。
【００１７】
そして、パッチを貼着する必要がある殆どの場合において綴じ穴は一の紙葉類に対し所定寸法離間させた状態で複数穿たれている点から、前記本体が、複数の前記パッチを平面視所定寸法離間させた状態で支持している態様であれば、パッチを貼着する作業のさらなる効率化に資する。
【００１８】
また、前記本体が、前記パッチを補充すべく前記パッチを保持し得る状態を解除するための解除ボタンを有するものである場合ではこの解除ボタンが、前記本体の動作位置に拘わらず操作可能に構成されているようにすれば、パッチを補充する作業をも使用者の所望の姿勢により迅速に行うことができ、複数のパッチを連続して貼着していく作業のより一層の効率化に資する。
【発明の効果】
【００１９】
本発明によれば、連続してパッチを貼着する作業を容易且つ確実になし得るパッチ貼着具を提供することができる。
【図面の簡単な説明】
【００２０】
【図１】本発明の一実施形態に係る外観図。
【図２】同正面図。
【図３】同背面図。
【図４】同平面図。
【図５】同底面図。
【図６】同右側面図。
【図７】同実施形態に係る正面、平面及び右側面を示す斜視図。
【図８】図２に係るＡ−Ａ線断面図。
【図９】図６に係るＢ−Ｂ線断面図。
【図１０】同実施形態に係る分解斜視図。
【図１１】同実施形態に係る作用説明図。
【図１２】同上。
【図１３】同実施形態に係る動作説明図。
【図１４】同上。
【図１５】同図１１に対応した動作説明図。
【図１６】同図１２に対応した動作説明図。
【図１７】同実施形態に係る作用説明図。
【図１８】同実施形態の変形例に係る外観図。
【図１９】同変形例に係る右側面から見た作用説明図。
【発明を実施するための形態】
【００２１】
以下、本発明の一実施の形態について図１〜図１７を参照して説明する。
【００２２】
本実施形態に係るパッチ貼着具は、例えば図示しない二穴パンチによって紙葉類たる用紙Ｓに穿たれた対をなす綴じ穴Ｈの周囲に同時にパッチＰを貼着するためのものである。このパッチ貼着具は、ガイド４に回転可能に支持された筒状をなすスリーブ２に上下動作可能にパッチＰを保持した本体１を支持させてなる。そしてこの本体１に対し上方から被覆するように固定されたハンドル３を使用者が片手で操作することにより載置面Ｆ上に下面４３が載置されたガイド４に対しスリーブ２を傾倒させた図１２及び図１３に示す準備姿勢（Ｙ２）として用紙Ｓをガイド４に固定し、しかる後にスリーブ２を図１に示す基準姿勢（Ｙ１）へと戻し、そして図１１に示すようにハンドル３を押し下げることによって本体１を退避位置（Ｘ１）から貼着位置（Ｘ２）へ移動させる。これにより、図１に示すように用紙Ｓに２つのパッチＰを同時に貼着してなる。つまり本実施形態に係るパッチ貼着具は上述したパッチＰを貼着する一連の作業を、使用者が片手でハンドル３を持ちながら行い、もう片方の手は、常に用紙Ｓを取り扱うことができる。
【００２３】
そしてパッチＰは、本実施形態ではパンチに穿たれた所定の規格に応じた径を有した綴じ穴Ｈと略同じか或いは若干寸法大きな内径を有した円環状をなすものとしている。このパッチＰは、例えばポリエチレンテレフタレート製フィルムからなる基材の一面側にアクリル系粘着剤が塗布されるとともに他面側では当該粘着剤に対する良好な剥離が促されるべくシリコン加工等による剥離処理が施されてなる。本実施形態ではこのパッチＰが厚み方向に所定枚数積層された状態でパッチ貼着具に対する詰め替え可能な円筒形状のリフィルを構成する。そしてリフィルを構成するパッチＰが用紙Ｓやシートを含む紙葉類へ押しつけられ貼着される際には、前記剥離処理が施された基材の他面側と粘着剤に対してよりも紙葉類に対して強く接着されるため、積層されたパッチＰは貼着時に一枚ずつ積層状態から剥がれて用紙Ｓを含む紙葉類へ安定して貼着される。
【００２４】
ここで、本実施形態に係るパッチＰを貼着可能に保持する本体１と、この本体１に対し用紙ＳをパッチＰを装着し得る位置に位置決めするガイド４と、本体１がパッチＰ及び用紙Ｓを離間させた退避位置（Ｘ１）からパッチＰを用紙Ｓに貼着し得る貼着位置（Ｘ２）までの間で動作可能に本体１を支持するスリーブ２と、本体１を動作させるための操作力を受け付けるハンドル３と、スリーブ２をガイド４に対し用紙Ｓを取り付け本体１によるパッチＰの貼着動作を受け入れる準備姿勢（Ｙ２）からパッチＰを用紙Ｓに貼着する基準姿勢（Ｙ１）に至る動作を可能に支持するとともに当該動作中に亘ってガイド４が載置面Ｆ上に載置された載置状態を維持し得る載置維持機構５とを具備するものである。
【００２５】
以下、パッチ貼着具における各部の具体的な構成について図１〜図１７に示して説明する。なお図６はパッチ貼着具の右側面を示すが、パッチ貼着具の左側面は図６に対し対称に現れるため、図示を省略する。
【００２６】
本体１は、スリーブ２に対してパッチＰ及び用紙Ｓを離間させた退避位置（Ｘ１）からパッチＰを用紙Ｓに貼着し得る貼着位置（Ｘ２）までの間で動作可能に支持されてなる。この本体１は、厚み方向すなわち平面視方向に積層されてなるパッチＰを直接保持している支持軸１３と、この支持軸１３を介して平面視対をなした異なる位置でパッチＰを支持するボディ１１と、このボディ１１とともに支持軸１３を挟持してなる保持部１２とを有している。
【００２７】
ボディ１１は、例えば正面側並びに背面側において概略半割構造をなした例えば透明の２つの樹脂成形品を筒状のスリーブ２内に組み合わせて収容させることによって構成されてなる。このボディ１１は、平面視所定寸法、具体的には８０ｍｍ離間させた状態で対をなす支持軸１３を支持するために支持軸１３に摺接する摺接面１１ａと、支持軸１３に支持されたパッチＰの最上面に密着することでパッチＰ貼着時にパッチＰを押圧するパッチ押圧面１１ｂと、対をなす支持軸１３の巾方向中間において単一のコイルバネＳＰの上端に接続してなるバネ押さえ１１ｃと、このバネ押さえ１１ｃによって付勢された動作上端位置でスリーブ２側と係りあうことによって本体１を退避位置（Ｘ１）に保持するための止め爪１１ｄとを有している。そして本実施形態では、上記バネ押さえ１１ｃが複数のパッチＰの動作を同期させ得る動作同期部としての役割をコイルバネＳＰ及びスリーブ２とともに担っている。すなわち、当該ボディ１１が対をなす支持軸１３を２穴パンチに関するＪＩＳ規格に準拠した８０ｍｍ間隔で支持しているということは、すなわち当該２穴パンチにて綴じ穴Ｈを設けた用紙Ｓに対して何ら調整を行うことなく綴じ穴ＨのパッチＰによる補強を行い得ることを意味する。
【００２８】
保持部１２は、ボディ１１とともに支持軸１３を挟持する挟持面１２ａと、外方からの操作力によって一時的に弾性変形させることにより支持軸１３への挟持を解除するための解除ボタン１２ｃと、挟持面１２ａにより支持軸１３を挟持しているときに支持軸１３に対し凹凸係合するラック面１２ｂとを有する。すなわち解除ボタン１２ｃが押圧されていないときにはボディ１１と共に支持軸１３を挟持するとともに、解除ボタン１２ｃが解除されると支持軸１３から離間する、支持軸１３をボディ１１から取り外し得るようにしたものである。そして本実施形態ではこの解除ボタン１２ｃが、本体１の動作位置に拘わらず外方へ露出した状態が維持されることにより、操作可能に構成されている。
【００２９】
支持軸１３は、例えば一体に成形されてなる棒状の樹脂からなるものであり、積層された複数のパッチＰの内径にがたつきなく保持面１３ｃが嵌りつつ下端を拡開させた拡開面１３ｄとすることによりパッチＰを落下させずに保持し得るものである。また支持軸１３は、円筒面状をなした被挟持面１２ａによって保持部１２とボディ１１に挟持されながら鋸状面がラック面１２ｂに凹凸係合することにより、上記保持部１２の解除ボタン１２ｃが押圧されていない状態ではボディ１１に対して落下することが禁止されてなる。また本実施形態ではこの支持軸１３に形成された鋸状面と保持部１２に形成されたラック面１２ｂとが係合する相対位置が、パッチＰの貼着により適宜ずれることによりクラッチを構成している。このクラッチにより、パッチＰが連続して貼着されることによって積層される枚数が減少しても支持軸１３が適宜上方へずれ上がりながらパッチ押圧面１１ｂと拡開面１３ｄとの間で上下方向に隙間なく積層されたパッチＰが保持される。
【００３０】
スリーブ２は、概略筒状に構成された透明の樹脂からなるものであり、筒体２１の内側において本体１を本体１がパッチＰ及び用紙Ｓを離間させた退避位置（Ｘ１）からパッチＰを用紙Ｓに貼着し得る貼着位置（Ｘ２）までの間で動作可能に本体１を支持するとともに、下端部ではガイド４に支持されることにより、ガイド４に対し用紙Ｓを取り付け本体１によるパッチＰの貼着動作を受け入れる準備姿勢（Ｙ２）からパッチＰを用紙Ｓに貼着する基準姿勢（Ｙ１）に至るまで動作可能に支持されている。またこのスリーブ２は、筒体２１の内側下端側においてコイルバネＳＰを下方から支持するバネ受け２３が形成されるとともに、下方に向けてパッチＰを通過させるためのパッチ通過口２２と、下端においてガイド４に位置決めされた用紙Ｓを押さえ得る用紙押さえ２４と、本体１のボディ１１に形成された止め爪１１ｄに係り合うことでコイルスプリングにより退避位置（Ｘ１）まで弾性付勢された本体１を退避位置（Ｘ１）に位置決めするための止め凸部２５と、ガイド４を基準姿勢（Ｙ１）とした状態でガイド４側に係り合うことでパッチ貼着具が持ち上げられてもガイド４が垂れ下がることを禁止するための係止凸部２６（図１０）とを有している。
【００３１】
そしてこのスリーブ２の下端且つ背面側には、ガイド４に対し回転可能に係り合う載置維持機構５におけるヒンジ部を構成する軸受け５１が形成されてなる。
【００３２】
ハンドル３は、本実施形態では本体１の上端に組み付けられた単一の樹脂素材からなり、本体１及びスリーブ２の上側の一部を被覆した被覆体３１を主体としながら本体１に対する操作力を受け付けるとともに、本体１がスリーブ２に対して退避位置（Ｘ１）から貼着位置（Ｘ２）までの何れの位置であってもボタン露出穴３２から解除ボタン１２ｃを露出させることにより解除ボタン１２ｃへのアクセスを可能としたものである。本実施形態ではハンドル３は本体１とともに一体に動作する態様を適用したが勿論、本体１の動作とは別異の動作をし得る態様としても良い。
【００３３】
ガイド４は、本体１に対し用紙ＳをパッチＰを装着し得る位置に位置決めするためのものである。このガイド４は、用紙Ｓを取り付け本体１によるパッチＰの貼着動作を受け入れる準備姿勢（Ｙ２）からパッチＰを用紙Ｓに貼着する基準姿勢（Ｙ１）に至るまで動作可能に支持し得る。そしてガイド４は、用紙Ｓを載置させるための用紙受け４１と、基準姿勢（Ｙ１）でスリーブ２側の係止凸部２６と係り合うことによりパッチ貼着具が載置面Ｆから持ち上げられた場合でもガイド４が垂れ下がらずにスリーブ２が基準姿勢（Ｙ１）となるように位置決めする係止突条４２（図１０）と、載置面Ｆ上に載置される下面４３と、用紙Ｓの綴じ穴Ｈに挿通することにより用紙Ｓを位置決めする用紙止め４４とを有している。載置面Ｆ上に載置される下面４３は、ガイド４において用紙Ｓを支持する用紙受け４１の下方において接地する前方支持面４３ａを主体としてなる。用紙止め４４は、複数枚の用紙Ｓを挿通する突起たる挿通突部４４ａと、この挿通突部４４ａを綴じ穴Ｈに対し挿脱可能となるよう上下に突没可能に支持すべく弾性変形する弾性変形部４４ｂと、この弾性変形部４４ｂを下方に弾性変形させるべく開口した退避穴４４ｃとを有している。そして突起たる挿通突部４４ａは、下方から積層された複数の用紙Ｓの綴じ穴Ｈを挿通する挿通面４４ｄと、用紙Ｓを挿通面４４ｄへスムーズに案内するために上側の径が小さくなるよう傾斜させて形成したテーパ面４４ｅと、上端において他の部位よりも色彩を異ならせて使用者に対し綴じ穴Ｈを好適に案内し得る頂部目印４４ｆとを有している。ここで、用紙止め４４は上記ボディ１１が支持軸１３を支持している位置に対応して８０ｍｍ間隔で一対巾方向に対称に設けられている。これによりＪＩＳ規格に準拠した２穴パンチにより綴じ穴Ｈを設けた用紙Ｓはそのまま用紙止め４４の位置を綴じ穴Ｈに合わせて自然に載置することができる。換言すれば用紙Ｓを置くだけで、簡単にパッチＰを貼着する作業を行うことができるようになっている。
【００３４】
また本実施形態ではガイド４には、軸受け５１とともに載置維持機構５であるヒンジ部を構成しスリーブ２を回転可能に保持するための回転軸５２が設けられてなる。そして本実施形態では前方支持面４３ａから後方に連続する部位に載置維持機構５を構成してなる。つまり換言すれば、用紙受け４１からヒンジ部つまり軸受け５１並びに回転軸５２を隔てた位置で載置面Ｆに当接する後方延出面５３を有している。換言すれば、当該後方延出面は軸受け５１並びに回転軸５２を設けた位置よりも後方且つ外方に位置付けられている。
【００３５】
しかして本実施形態に係るパッチ貼着具は、上述した通り、スリーブ２を準備姿勢（Ｙ２）から基準姿勢（Ｙ１）に至る動作を可能に支持するとともに当該動作中に亘ってガイド４が載置面Ｆ上に載置された載置状態を維持し得る載置維持機構５を具備してなる。この載置維持機構５は、本実施形態では上述したスリーブ２側の軸受け５１と、ガイド４側の回転軸５２と、そしてガイド４に設けられた当接維持部たる後方延出面５３とによって構成されている。
【００３６】
以下、載置維持機構５を利用した一連のパッチＰ貼着作業について説明する。
【００３７】
パッチ貼着具は用紙Ｓの綴じ穴ＨにパッチＰを貼着するにあたり、図１〜図９に示したスリーブ２が基準位置となっている状態から図１２及び図１３に示すような準備姿勢（Ｙ２）へとスリーブ２を動作させなければならない。つまり使用者は片手でハンドル３を把持し、スリーブ２及び本体１ごとハンドル３を背面側へ傾倒させる動作を行う。このときスリーブ２はヒンジ部である軸受け５１及び回転軸５２を中心に背面側へ傾倒するが、軸受け５１及び回転軸５２よりもさらに背面側に後方延出面５３が形成されている。このため、スリーブ２が傾倒してもガイド４は下面４３たる前方支持面４３ａが後方延出面５３とともに載置面Ｆ上に当接した状態が維持されるためガイド４が背面側へ転倒或いは傾倒することが回避されている。すなわちこの後方延出面５３が、ヒンジ部の動作中つまり軸受け５１を中心としたスリーブ２の動作中に亘って常にガイド４の下面４３を載置面Ｆに当接させ得る当接維持部としての役割を担っている。
【００３８】
そして図１４に示すようにガイド４が載置面Ｆ上から動作することなくガイド４上に用紙Ｓを装着することができる。しかる後、図１１及び図１５に示すようにハンドル３を押し下げて本体１を貼着位置（Ｘ２）として用紙ＳにパッチＰを貼着する。また本実施形態ではパッチＰの貼着時では挿通突部４４ａが本体１の動作に干渉する事を回避するべく、弾性変形部４４ｂが退避穴４４ｃを利用して弾性変形する。これにより挿通突部４４ａは一時的に下方へ下がることとなる。その後ハンドル３への下方の操作力を解除すればコイルバネＳＰの弾性復帰力により本体１はハンドル３とともに再度退避位置（Ｘ１）に位置決めされる。また挿通突部４４ａは弾性変形部４４ｂの弾性復帰により上方へ復帰動作を行う。そして図１６及び図１７に示すように再びスリーブ２を背面側へ傾倒させても、上記同様にヒンジ部よりも背面側に位置する後方延出面５３が、所謂「つっかえる」ようにして載置面Ｆ上に載置された状態が維持される。つまり、図１１〜図１７に示されるようなパッチＰを貼着する一連の動作において使用者は例えば片手によりハンドル３のみを把持した状態を維持することができる。これにより、本実施形態ではガイド４側の突起たる挿通突部４４ａに用紙Ｓを複数積層して配置しているので、パッチＰを貼着した用紙Ｓを一枚ずつ取り外しながら、再び図１７に示した状態から再び片手のみでハンドル３を基準位置として、再び同様のパッチＰの貼着動作を行うことができる。
【００３９】
すなわち本実施形態に係るパッチ貼着具では、当該パッチ貼着具を片手のみで操作しつつ、もう片方の手で用紙Ｓを扱いながら迅速にパッチＰの貼着を連続して行うことができる。
【００４０】
以上のような構成とすることにより、本実施形態に係るパッチ貼着具は、連続してパッチＰを装着する作業においてハンドル３を操作しているときガイド４が常に載置面Ｆ上に載置された状態を維持しているので、使用者はハンドル３を持っていないもう片方の手をガイド４に触れる必要が無く用紙Ｓを取り扱う用途に使うことができる。その結果、連続してパッチＰを貼着する作業を容易且つ確実になし得るパッチ貼着具が実現されている。
【００４１】
より簡素な構成により当該載置維持機構５を実現するために本実施形態では、載置維持機構５を、準備姿勢（Ｙ２）及び基準姿勢（Ｙ１）との間でスリーブ２を回転可能に支持するヒンジ部たる軸受け５１並びに回転軸５２と、ヒンジ部の動作中に亘って常にガイド４の下面４３を載置面Ｆに当接させ得る当接維持部たる後方延出面５３とを有する構成としている。
【００４２】
特に、ガイド４に重りや吸盤といった別異の要素を追加することなく形状の変更のみで載置維持機構５を実現するために本実施形態では、ガイド４の形状を変更するのみで当接維持部を構成している。すなわち当接維持部として、ガイド４において用紙Ｓを支持する用紙受け４１からヒンジ部たる軸受け５１並びに回転軸５２を隔てた位置、すなわちヒンジ部よりも後方且つ外方に位置付けられている後方延出面５３としている。
【００４３】
また、複数の用紙Ｓに対し順次パッチＰを貼着していく作業をより効率良く行うために本実施形態では、ガイド４に積層させた複数の用紙Ｓを位置決めすべく綴じ穴Ｈを挿通する突起たる挿通突条４４ａを設けている。
【００４４】
そして本実施形態では、突起たる挿通突条４４ａがパッチＰ貼着時に本体１の支持軸１３へ干渉することを回避させて積層させた複数の用紙Ｓに対して連続して円滑な貼着動作を担保するために、ガイド４に、挿通突条４４ａを綴じ穴Ｈに対し挿脱可能に支持すべく弾性変形する弾性変形部４４ｂを設けている。
【００４５】
特に本実施形態では、使用者に対し用紙Ｓの位置決めをスムーズに行わせることにより用紙Ｓを取り扱う作業をより迅速に行い得るようにすべく、挿通突条４４ａの先端を、挿通突条４４ａにおける他の部位とは異なる色を呈するように頂部目印４４ｆを設けている。
【００４６】
そして、本実施形態では通常の２穴パンチや綴じ具等に対して規定されているＪＩＳ規格と同様の位置でパッチＰを貼着できる。具体的には対をなすパッチＰを例えば８０ｍｍ離間させて２つ同時に貼着するようにすることで、パッチＰを貼着する作業のさらなる効率化に寄与している。つまり、一枚の用紙Ｓに複数回パッチＰを貼着する作業を行わずに用紙Ｓあたり一回の操作のみで挿通突条４４ａに挿通させた複数の用紙Ｓに対しパッチＰを順次貼着していくことができる。
【００４７】
すなわち、本実施形態に係るパッチ貼着具を用いて用紙ＳにパッチＰを貼着していく作業はまず、片方の手でハンドル３を把持してスリーブ２を準備姿勢（Ｙ２）とし、もう片方の手で複数枚の用紙Ｓを綴じ穴Ｈが連通した状態で用紙止め４４にまとめて挿通させておく。そしてハンドル３を操作させることにより本体１を退避位置（Ｘ１）、貼着位置（Ｘ２）とする動作を繰り返しながら同時にパッチＰを貼着した用紙Ｓを一枚ずつ用紙止め４４から外していくことにより、容易且つ迅速なパッチＰの貼着を行うことができる。従来ではパッチＰの貼着作業は一枚ずつ用紙Ｓを単一の綴じ穴Ｈごとに用紙Ｓを扱う側の手を適宜用紙から放してガイド４をつかんで位置決めして行っていた。それに対して本実施形態のパッチ貼着具では用紙Ｓを扱う手を用紙から放すことなく継続した作業が実現されるので、頻繁にパッチＰを貼着する使用者にとっては作業の多大な効率化に資する。
【００４８】
また複数のパッチＰを一の動作で貼着する際に、より正確に貼着し得るようにするために本実施形態では、本体１に、複数のパッチＰの動作を同期させ得る動作同期部として、巾方向中央にコイルバネＳＰを設けておく構成としている。
【００４９】
そして上記動作同期部の具体的な構成として、複数のパッチＰを支持する単一のケース体と、このケース体に設けられスリーブ２に対し弾性付勢する単一の弾性体とを有する態様を適用することにより、簡素な構成にて複数のパッチＰ貼着動作の同期を実現している。
【００５０】
また、本体１が、パッチＰを補充すべくパッチＰを保持し得る状態を解除するための解除ボタン１２ｃを有する本実施形態において、ではこの解除ボタン１２ｃが、本体１の動作位置に拘わらず操作可能に構成されているようにすることにより、パッチＰを補充する作業をも使用者の所望の姿勢により迅速に行うことができ、複数のパッチＰを連続して貼着していく作業のより一層の効率化に寄与している。
【００５１】
＜変形例＞
以下に、本実施形態の変形例について説明する。当該変形例において、上記実施形態の構成要素に相当するものに対しては同じ符号を付すとともに、その詳細な説明を省略するものとする。
【００５２】
上記実施形態ではスリーブ２をガイド４に対し回転可能に支持される載置維持機構５を開示したが勿論、載置維持機構５はスリーブ２を回転可能に支持される態様に限られない。
【００５３】
すなわち図１８及び図１９に示すように、本体１を支持しているスリーブ２をガイド４に対し上下方向にスライド可能に構成することにより、載置維持機構５を構成しても良い。同図では、載置維持機構５を、スリーブ２を上下昇降可能に支持する昇降支持部と、スリーブ２を準備姿勢（Ｙ２）へ付勢する付勢部たるコイルスプリングとを有している態様を示している。
【００５４】
このようなものであれば、コイルスプリングＳＰ２がスリーブ２を上方へ付勢するためスリーブ２が予め準備姿勢（Ｙ２）で維持された状態となる。これにより、使用者はガイド４に対する速やかな用紙Ｓの位置決めを行い得る。加えてパッチＰの貼着動作はハンドル３への押圧動作のみによって実現されるため、迅速なパッチＰの貼着動作を上記実施形態同様、連続して行うことができる。
【００５５】
以上、本発明の実施形態について説明したが、各部の具体的な構成は、上述した実施形態のみに限定されるものではなく、本発明の趣旨を逸脱しない範囲で種々変形が可能である。
【００５６】
例えば、上記実施形態ではパッチを同時に２つ貼着するタイプのパッチ貼着具を開示したが勿論、一度に単一のパッチを貼着する態様としても、３つ以上のパッチを同時に貼着する態様としてもよい。またガイドやハンドルの形状等の具体的な態様は上記実施形態のものに限定されることはなく、既存のものを含め、種々の態様のものを適用することができる。
【００５７】
その他、各部の具体的構成についても上記実施形態に限られるものではなく、本発明の趣旨を逸脱しない範囲で種々変形が可能である。
【産業上の利用可能性】
【００５８】
本発明は紙葉類に穿たれた綴じ穴を設けた箇所を補強するためにパッチを貼着するパッチ貼着具として利用することができる。
【符号の説明】
【００５９】
１…本体
２…スリーブ
３…ハンドル
４…ガイド
５…載置維持機構
Ｓ…紙葉類（用紙）
Ｈ…綴じ穴
Ｐ…パッチ
Ｘ１…退避位置
Ｘ２…貼着位置
Ｙ１…基準姿勢
Ｙ２…準備姿勢
【図１】
2015107623.tif 000003
【図２】
2015107623.tif 000004
【図３】
2015107623.tif 000005
【図４】
2015107623.tif 000006
【図５】
2015107623.tif 000007
【図６】
2015107623.tif 000008
【図７】
2015107623.tif 000009
【図８】
2015107623.tif 000010
【図９】
2015107623.tif 000011
【図１０】
2015107623.tif 000012
【図１１】
2015107623.tif 000013
【図１２】
2015107623.tif 000014
【図１３】
2015107623.tif 000015
【図１４】
2015107623.tif 000016
【図１５】
2015107623.tif 000017
【図１６】
2015107623.tif 000018
【図１７】
2015107623.tif 000019
【図１８】
2015107623.tif 000020
【図１９】
2015107623.tif 000021